(57)【要約】【課題】前回の検索結果に含まれていたことで再検索の必要性の原因となった所望されない施設等が再び検索／出力されることが防止でき、結果として使用者における煩雑さを抑制して施設等の検索の際の利便性を向上させること可能な情報処理装置を提供する。【解決手段】検索対象とする地理的範囲を示す検索範囲情報と、検索対象たる地物の属性を示す検索属性情報と、を取得するインターフェース１と、検索範囲情報により示される地理的範囲に存在し、且つ、検索属性情報により示される属性を有する地物を検索して出力する検索出力部２と、を備え、検索出力部２は、地理的範囲を拡大した再検索を行って再検索結果を出力する場合に、前回の検索において出力された地物の属性に相当する属性を有する地物の少なくとも一部を再検索結果から除外する。【選択図】図２
2014203214.tif 000002
【特許請求の範囲】
【請求項１】
検索の対象とする地理的範囲を示す検索範囲情報と、前記対象たる地物の属性を示す検索属性情報と、を取得する取得手段と、
前記取得した検索範囲情報により示される前記地理的範囲に存在し、且つ、前記取得した検索属性情報により示される前記属性を有する地物を検索して出力する検索出力手段と、
を備え、
前記検索出力手段は、前記検索された地物が出力された後に前記地理的範囲を拡大した再検索を行って再検索結果を出力する場合に、前回の検索において出力された前記地物の少なくとも一部の前記属性に相当する属性を有する地物である前回検索属性地物を当該再検索結果から除外することを特徴とする情報処理装置。
【請求項２】
請求項１に記載の情報処理装置において、
前記検索出力手段は、前記再検索を行って再検索結果を出力する場合に、前記前回検索属性地物の当該属性を当該再検索の検索条件から除外した再検索を行って、前記再検索結果を出力することを特徴とする情報処理装置。
【請求項３】
請求項１に記載の情報処理装置において、
前記検索出力手段は、前記再検索を行って再検索結果を出力する場合に、前記前回検索属性地物を当該再検索結果から削除し、当該削除後の前記再検索結果を出力することを特徴とする情報処理装置。
【請求項４】
請求項１から請求項３のいずれか一項に記載の情報処理装置において、
前記検索出力手段は、前記再検索のための拡大された前記地理的範囲から前回の前記検索に用いられた前記地理的範囲を除外して、当該再検索を行うことを特徴とする情報処理装置。
【請求項５】
請求項１から請求項４のいずれか一項に記載の情報処理装置において、
前記検索出力手段は、前記再検索結果を表示する表示手段を更に備え、
当該表示手段は、前記再検索により検索された前記地物を、前回の前記検索により検索された前記地物に追加したリスト形式により表示することを特徴とする情報処理装置。
【請求項６】
請求項１から請求項５のいずれか一項に記載の情報処理装置において、
前記再検索に当たって、前回の前記検索に対して除外すべき検索条件を指定するために用いられる指定手段を更に備え、
前記検索出力手段は、前記指定された検索条件を除外して当該再検索を実行することを特徴とする情報処理装置。
【請求項７】
サーバ装置と、当該サーバ装置にネットワークを介して接続される端末装置と、を含む情報処理システムにおいて、
前記サーバ装置は、
検索の対象とする地理的範囲を示す検索範囲情報と、前記対象たる地物の属性を示す検索属性情報と、を前記端末装置から取得する取得手段と、
前記取得した検索範囲情報により示される前記地理的範囲に存在し、且つ、前記取得した検索属性情報により示される前記属性を有する地物を検索して前記端末装置に出力する検索出力手段と、
を備え、
前記端末装置は、
前記検索範囲情報と、前記検索属性情報と、を前記サーバ装置に送信する送信手段と、
前記サーバ装置から出力されてきた再検索結果を受信して告知する告知手段と、
を備え、
前記サーバ装置の前記検索出力手段は、前記検索された地物が前記端末装置に出力された後に前記地理的範囲を拡大した再検索を行って再検索結果を出力する場合に、前回の検索において前記端末装置に出力された前記地物の前記属性に相当する属性を有する地物の少なくとも一部を、前記端末装置に出力する前記再検索結果から除外することを特徴とする情報処理システム。
【請求項８】
検索の対象とする地理的範囲を示す検索範囲情報と、前記対象たる地物の属性を示す検索属性情報と、を取得する取得工程と、
前記取得した検索範囲情報により示される前記地理的範囲に存在し、且つ、前記取得した検索属性情報により示される前記属性を有する地物を検索して出力する検索出力工程と、
を含み、
前記検索出力工程においては、前記検索された地物が出力された後に前記地理的範囲を拡大した再検索を行って再検索結果を出力する場合に、前回の検索において出力された前記地物の前記属性に相当する属性を有する地物の少なくとも一部が当該再検索結果から除外されることを特徴とする情報処理方法。
【請求項９】
コンピュータを、請求項１から請求項４のいずれか一項に記載の情報処理装置として機能させることを特徴とする情報処理用プログラム。
【発明の詳細な説明】
【技術分野】
【０００１】
本願は、情報処理装置、情報処理システム並びに情報処理方法及び情報処理用プログラムの技術分野に属する。より詳細には、施設又は地点等の地物を検索する情報処理装置及び情報処理方法、並びに情報処理システム及び当該情報処理装置用のプログラムの技術分野に属する。
【背景技術】
【０００２】
近年、例えば携帯型の情報端末装置や車両の移動を案内するナビゲーション装置等において、地図上の施設又は地点等である地物を検索して使用者に表示又は告知することが広く行われている。このような地物の検索に関する従来技術を開示している特許文献としては、例えば下記特許文献１がある。
【０００３】
この特許文献１に記載されている技術では、所定の地理的な検索範囲を用いて施設又は地点等を検索する場合に、その検索範囲において複数の施設又は地点等が検索されなかった場合には、検索範囲を拡大して施設又は地点等を再検索する構成されている。
【先行技術文献】
【特許文献】
【０００４】
【特許文献１】特開２００９−１２８８６６号公報
【発明の概要】
【発明が解決しようとする課題】
【０００５】
しかしながら、上記特許文献１に記載されている技術では、検索範囲を拡げて再検索をする場合に、前回の検索で検索された施設又は地点等と類似した施設等（例えば同じチェーン店や同じ趣向の施設等）も、再検索の結果に含まれることとなる。
【０００６】
一方、一旦検索された結果を踏まえて再検索を行う場合、一般的には、前回の検索結果に使用者が所望する施設又は地点等が含まれていなかったからこそ、再検索を行うものと考えられる。そして、このような所望されない施設又は地点等は、再検索においても使用者に所望されない施設又は地点等である。従って、上記特許文献１に記載されている技術では、このような所望されない施設又は地点等までもが再検索の度に何度も検索されることとなり、使用者にとっては利便性が悪く煩に堪えないという問題点がある。
【０００７】
そこで本願は、上記の問題点に鑑みて為されたもので、その課題の一例は、前回の検索結果に含まれていたことで再検索の必要性の原因となった所望されない施設又は地点等が再び検索／出力されることが防止でき、結果として使用者における煩雑さを抑制して施設又は地点等の検索の際の利便性を向上させること可能な情報処理装置及び情報処理方法、並びに情報処理システム及び当該情報処理装置用のプログラムを提供することにある。
【課題を解決するための手段】
【０００８】
上記の課題を解決するために、請求項１に記載の発明は、検索の対象とする地理的範囲を示す検索範囲情報と、前記対象たる地物の属性を示す検索属性情報と、を取得する取得手段と、前記取得した検索範囲情報により示される前記地理的範囲に存在し、且つ、前記取得した検索属性情報により示される前記属性を有する地物を検索して出力する検索出力手段と、を備え、前記検索出力手段は、前記検索された地物が出力された後に前記地理的範囲を拡大した再検索を行って再検索結果を出力する場合に、前回の検索において出力された前記地物の少なくとも一部の前記属性に相当する属性を有する地物である前回検索属性地物を当該再検索結果から除外するように構成される。
【０００９】
上記の課題を解決するために、請求項７に記載の発明は、サーバ装置と、当該サーバ装置にネットワークを介して接続される端末装置と、を含む情報処理システムにおいて、前記サーバ装置は、検索の対象とする地理的範囲を示す検索範囲情報と、前記対象たる地物の属性を示す検索属性情報と、を前記端末装置から取得する取得手段と、前記取得した検索範囲情報により示される前記地理的範囲に存在し、且つ、前記取得した検索属性情報により示される前記属性を有する地物を検索して前記端末装置に出力する検索出力手段と、を備え、前記端末装置は、前記検索範囲情報と、前記検索属性情報と、を前記サーバ装置に送信する送信手段と、前記サーバ装置から出力されてきた再検索結果を受信して告知する告知手段と、を備え、前記サーバ装置の前記検索出力手段は、前記検索された地物が前記端末装置に出力された後に前記地理的範囲を拡大した再検索を行って再検索結果を出力する場合に、前回の検索において前記端末装置に出力された前記地物の前記属性に相当する属性を有する地物の少なくとも一部を、前記端末装置に出力する前記再検索結果から除外するように構成される。
【００１０】
上記の課題を解決するために、請求項８に記載の発明は、検索の対象とする地理的範囲を示す検索範囲情報と、前記対象たる地物の属性を示す検索属性情報と、を取得する取得工程と、前記取得した検索範囲情報により示される前記地理的範囲に存在し、且つ、前記取得した検索属性情報により示される前記属性を有する地物を検索して出力する検索出力工程と、を含み、前記検索出力工程においては、前記検索された地物が出力された後に前記地理的範囲を拡大した再検索を行って再検索結果を出力する場合に、前回の検索において出力された前記地物の前記属性に相当する属性を有する地物の少なくとも一部が当該再検索結果から除外されるように構成される。
【００１１】
上記の課題を解決するために、請求項９に記載の発明は、コンピュータを、請求項１から請求項４のいずれか一項に記載の情報処理装置として機能させる。
【図面の簡単な説明】
【００１２】
【図１】実施形態に係る情報処理装置の概要構成を示すブロック図である。
【図２】実施例に係るナビゲーション装置の概要構成を示すブロック図である。
【図３】実施例に係る施設等検索処理を示すフローチャート等であり、（ａ）は当該フローチャートであり、（ｂ）は当該施設等検索処理の結果の表示例を示す図である。
【図４】実施例に係る施設等検索処理を説明する図である。
【発明を実施するための形態】
【００１３】
次に、本願を実施するための形態について、図１を用いて説明する。なお図１は、実施形態に係る情報処理装置の概要構成を示すブロック図である。
【００１４】
図１に示すように、実施形態に係る情報処理装置Ｓは、取得手段１と、検索出力手段２と、を備えて構成されている。
【００１５】
この構成において取得手段１は、検索の対象とする地理的範囲を示す検索範囲情報と、検索の対象たる地物の属性を示す検索属性情報と、を取得する。この場合に取得手段２は、情報処理装置Ｓの使用者が入力した上記検索範囲情報等を取得してもよいし、或いは、例えばインターネット等のネットワークを介して外部から上記検索範囲情報等を取得してもよい。
【００１６】
これにより検索出力手段２は、取得手段１により取得した検索範囲情報により示される地理的範囲に存在し、且つ、取得手段１により取得した検索属性情報により示される属性を有する地物を検索して出力する。この場合の出力先は、情報処理装置Ｓの使用者に対して表示又は音声出力により当該地物を告知する態様で出力してもよいし、或いは、上記ネットワークを介して接続されている他の装置に対して出力してもよい。
【００１７】
このとき検索出力手段２は、検索された地物が出力された後に地理的範囲を拡大した再検索を行って再検索結果を出力する場合に、前回の検索において出力された地物の少なくとも一部の属性に相当する属性を有する地物を当該再検索結果から除外する。
【００１８】
以上説明したように、実施形態に係る情報処理装置Ｓの動作によれば、検索範囲情報により示される地理的範囲に存在し、且つ検索属性情報により示される属性を有する地物が一旦検索／出力された後に、地理的範囲を拡大した再検索を行って再検索結果を出力するに当たり、前回の検索において出力された地物の少なくとも一部の属性に相当する属性を有する地物を再検索結果から除外する。よって、前回の検索結果に含まれていたことで再検索の必要性の原因となった所望されない地物が再び検索／出力されることが自動的に防止できることで、使用者における煩雑さを抑制して地物検索の際の利便性を向上させることができる。
【実施例】
【００１９】
次に、上述した実施形態に対応する具体的な実施例について、図２乃至図４を用いて説明する。なお以下に説明する実施例は、車両に搭載され、当該車両の移動を案内するナビゲーション装置における施設又は地点等の検索処理に対して実施形態を適用した場合の実施例である。また以下の説明では、上記施設又は地点等を単に「施設等」と称する。
【００２０】
更に、図２は実施例に係るナビゲーション装置の概要構成を示すブロック図であり、図３は実施例に係る施設等検索処理を示すフローチャート等であり、図４は当該施設等検索処理を説明する図である。このとき図２及び図４では、図１に示した実施形態に係る情報処理装置Ｓにおける各構成部材に対応する実施例の構成部材それぞれについて、当該情報処理装置Ｓにおける各構成部材と同一の部材番号を用いている。
【００２１】
図２に示すように、実施例に係るナビゲーション装置ＮＶは、実施形態に係る情報処理装置Ｓの一例に相当し且つＣＰＵ、ＲＡＭ（Random Access Memory）及びＲＯＭ（Read Only Memory）を含む処理部Ｓと、液晶ディスプレイ等からなるディスプレイ３と、操作ボタン又はリモコン等からなる操作部４と、ＨＤＤ（Hard Disc Drive）等からなる不揮発性の記録部５と、車両の現在位置、速度及び進行方位等を検出する各種センサ等を含むセンサ部６と、により構成されている。なお記録部５には、実施例に係る施設等検索処理に相当するプログラム、及び車両の案内に必要な地図データ等のナビゲーション用データが不揮発性に記録されている。このときディスプレイ３が、本願に係る「表示手段」の一例及び「告知手段」の一例にそれぞれ相当し、操作部４が本願に係る「指定手段」の一例に相当する。また、インターフェース１が本願に係る「送信手段」の一例に相当する。
【００２２】
更に処理部Ｓは、実施形態に係る取得手段１の一例に相当するインターフェース１と、実施形態に係る検索出力手段２の一例に相当する検索出力部２と、を含んでいる。このときインターフェース１及び検索出力部２は、いわゆるハードウェアロジック回路を用いて処理部Ｓ内において構成されていてもよいし、或いは当該インターフェース１及び検索出力部２に相当する上記プログラムを処理部Ｓが記録部５から読み出して実行することにより、処理部Ｓ内において実現されるものであってもよい。
【００２３】
この構成において処理部Ｓは、操作部４における使用者（運転者等）の操作に基づき、記録部５に記録されているナビゲーション用データ等を用いつつ、センサ部６における現在位置等の各種検出結果に基づいて、ナビゲーション装置ＮＶが搭載されている車両を案内する処理を実行する。このときの案内用の地図等は、必要に応じてディスプレイ３に表示される。これらと並行して処理部Ｓのインターフェース１及び検索出力部２は、後述する実施例に係る施設等検索処理を実行する。この施設等検索処理の検索結果は、必要に応じて上記案内する処理に活用される。
【００２４】
次に、実施例に係る施設等検索処理について、より具体的に図２乃至図４を用いて説明する。
【００２５】
図３（ａ）に示すように、実施例に係る施設等検索処理において処理部Ｓは、インターフェース１を介して施設等検索の対象となる地理的範囲である検索範囲を示すデータ、及び検索対象となる施設等が有すべき属性を示すデータの入力をそれぞれ受け付ける。このときの検索範囲とは、例えば車両の現在位置を中心とした円形の範囲が挙げられる。なお当該円形の範囲の中心として、車両の現在位置ではなく使用者が操作部４を用いて指定した他の位置又は他の地点を用いてもよい。また上記検索対象となる施設等が有すべき属性としては、例えば「ファミリーレストラン」といった属性が用いられる。これらにより検索出力部２は、当該検索範囲を施設等検索の対象として設定すると共に、検索対象たる施設等として、上記属性を示すデータにより示される条件（以下、当該条件を指定条件と称する）に合致する全ての施設等を設定する（ステップＳ１）。
【００２６】
次に検索出力部２は、上記検索範囲で且つ上記指定条件に合致する全ての施設等を検索する（ステップＳ２）。このステップＳ２の検索においては、記録部５に記録されているナビゲーション用データにおける地点データ等が用いられる。
【００２７】
次に検索出力部２は、ステップＳ２の検索の結果を例えばディスプレイ３に表示する等の方法により、ステップＳ２の検索によって使用者が所望する施設等が検索されたか否かを確認する（ステップＳ３）。ステップＳ３の確認において、直前のステップＳ２の検索により所望の施設等が全く検索されない場合（ステップＳ３；ＮＯ）、検索出力部２は、地理的範囲としての検索範囲を、直前の検索範囲の中心を中心とした同心円状の外側まで拡大して設定する（ステップＳ４）。このとき検索出力部４は、直前のステップＳ２の検索で用いられた検索範囲（即ち、上記ステップＳ４の処理により新たに設定された検索範囲に対して同心円状の内側にある検索範囲）を除外して、新たな検索範囲を設定する。また、新たな検索範囲としてどの程度拡大するか（例えば検索範囲としての半径をどの程度大きくするか）については、例えば予め実験的に或いは経験的に設定しておいてもよいし、或いは使用者が操作部４を用いて任意に設定できるように構成してもよい。以上のステップＳ４の処理により新たに設定される検索範囲は、直前のステップＳ２の検索で用いられた検索範囲を除外した、「ドーナツ」状の検索範囲となる。
【００２８】
その後処理部Ｓは、実施例に係る施設等検索処理を終了するか否かを、例えばディスプレイ３を用いた表示等により使用者に確認し（ステップＳ５）、当該施設等検索処理を終了する場合は（ステップＳ５；ＹＥＳ）、処理部Ｓとしての他の案内の処理に移行する。一方ステップＳ５の確認において当該施設等検索処理を継続する場合（ステップＳ５；ＮＯ）、処理部３は上記ステップＳ２に戻って、直前のステップＳ４の処理により新たに設定されたドーナツ状の検索範囲を対象とした検索を実行する。
【００２９】
他方、上記ステップＳ３の確認において、直前のステップＳ２の検索によりその時の指定条件に合致した施設等が一つでも検索された場合（ステップＳ３；ＹＥＳ）、処理部Ｓは、検索された施設等の名称等を一覧表としてリスト形式でディスプレイ３に表示し、それに対する使用者による操作部４を用いた入力操作を待機する（ステップＳ６）。この場合のディスプレイ３における表示例としては、例えば図３（ｂ）に例示するようなリストＲ１が挙げられる。なお最初の検索の段階では、図３（ｂ）に例示するリストＲ２は、未検索であるため表示されない。
【００３０】
次に処理部Ｓは、ステップＳ６の待機において表示中のリストＲ１を見た使用者の操作により、使用者が所望する施設等が決定されたか否かを判定する（ステップＳ７）。ステップＳ７の判定において所望の施設等が決定された旨の操作がされた場合（ステップＳ７；ＹＥＳ）、処理部Ｓは上記ステップＳ５に移行する。このときステップＳ７の判定において「ＹＥＳ」とされた場合、実施例に係る施設等検索処理は終了される場合が多いこととなる（上記ステップＳ５；ＹＥＳ参照）。
【００３１】
一方ステップＳ７の判定において、所望の施設等が決定されない（即ち、所望の施設等がリストＲ１内にない）旨の操作がされた場合（ステップＳ７；ＮＯ）、処理部Ｓは、実施例に係る施設等検索処理をキャンセルするか否かを、例えばディスプレイ３に表示する等の方法により使用者に確認する（ステップＳ８）。ステップＳ８の確認において、当該施設等検索処理をキャンセルする場合（ステップＳ８；ＹＥＳ）、検索出力部２は当該施設等検索処理をキャンセルする処理として例えば上記ステップＳ１で設定された検索範囲及び指定条件等を全て初期化する処理等を実行し（ステップＳ１０）、その後上記ステップＳ５の処理に移行する。
【００３２】
他方ステップＳ８の確認において、当該施設等検索処理をキャンセルしない場合（ステップＳ８；ＮＯ）、検索出力部２は、ステップＳ２において設定されている指定条件から、当該ステップＳ２の処理により今回検索された施設等に相当する属性を除外して新たな指定条件を設定する（ステップＳ９）。
【００３３】
ここで、上記ステップＳ９の処理について具体的に説明する。今回の検索（ステップＳ２）における指定条件が例えば「ファミリーレストラン」であり、且つその検索結果としてその時点での検索範囲においてファミリーレストランの「ダニーズ△△店」が検索されていたとすると、当該ステップＳ９の処理では、指定条件から「ダニーズ」なる条件、又は「△△店」なる条件が除外される。このステップＳ９の処理により、次回以降のステップＳ２の検索では、指定条件から「ダニーズ」なる条件を除外する場合は「ダニーズ」なる属性を有するファミリーレストランが検索対象から外れることとなり、指定条件から「△△店」なる条件を除外する場合は「△△店」なる属性を有するファミリーレストランが検索対象から外れることとなる。
【００３４】
ステップＳ９の処理により新たな指定条件が設定されたら、次に検索出力部２は上記ステップＳ４及びステップＳ５の処理に移行し、施設等検索が継続された場合（ステップＳ５；ＮＯ参照）は、結果として新たに設定された指定条件（ステップＳ９参照）を用いて、拡大された検索範囲により（ステップＳ４参照）、所望される施設等の検索を実行することとなる（次のステップＳ２以降参照）。
【００３５】
なお、二回目以降の検索結果は、例えば図３（ｂ）に例示するリストＲ２のように、前回の検索結果であるリストＲ１に追加される態様で、当該リストＲ１の内容と比較可能にディスプレイ３に表示される。このとき図３（ｂ）に例示するように、二回目の検索結果としてのリストＲ２では、例えば上記ステップＳ９の処理により指定条件から「ダニーズ」なる条件が除外されたとすると、同じファミリーレストランでも、「ダニーズ」以外のファミリーレストランが含まれていることになる。
【００３６】
次に、実施例に係る施設等検索処理を例えば三回実行した場合について、その検索結果について概念的に図４を用いて説明する。
【００３７】
図４に例示する場合、最初のステップＳ１の処理において、地理的な検索範囲が地点Ｐを中心とした円状の検索範囲Ａ１（図４において実線で例示する）と設定され、更に指定条件として「ファミリーレストラン」が設定されたとし、その指定条件を用いて検索範囲Ａ１を検索した結果（図３ステップＳ２参照）、検索範囲Ａ１内に「ダニーズ△△店」である施設ＯＢ１が検索されてディスプレイ４に表示されたとする（図３ステップＳ６参照）。しかしながらこの施設ＯＢ１は使用者が所望するファミリーレストランでなかった場合（図３ステップＳ７；ＮＯ参照）、次に検索出力部２は、指定条件として「ダニーズ」なる属性を除外し（図３ステップＳ９参照）、更に検索範囲Ａ１を新たな検索範囲Ａ２（図４において破線で例示する）と拡大設定すると共に元の検索範囲Ａ１の内側の領域を検索対象から除外して（図３ステップＳ４参照）、再度検索を行う（図３ステップＳ２参照）。そしてこの再検索の結果として、検索範囲Ａ２の内側で且つ元の検索範囲Ａ１の外側の（ドーナツ状の）領域に「ダニーズ」以外のファミリーレストランである施設ＯＢ２及び施設ＯＢ４が検索された場合、これら施設ＯＢ２及び施設ＯＢ４を示す情報がリストＲ２としてディスプレイ４に追加表示される（図３ステップＳ６参照）。なおこのとき、検索範囲Ａ２の内側で且つ検索範囲Ａ１の外側の領域に「ダニーズ」のファミリーレストランである施設ＯＢ３があったとしても、それは検索結果には現出しないこととなる。
【００３８】
他方、これら施設ＯＢ２又は施設ＯＢ４も使用者が所望するファミリーレストランでなかった場合（図３ステップＳ７；ＮＯ参照）、次に検索出力部２は、指定条件として「ダニーズ」なる属性並びに施設ＯＢ２及び施設ＯＢ４が有する属性を共に除外し（図３ステップＳ９参照）、更に検索範囲Ａ２を新たな検索範囲Ａ３（図４において一点鎖線で例示する）と拡大設定すると共に元の検索範囲Ａ２の内側の領域を検索対象から除外して（図３ステップＳ４参照）、再度検索を行う（図３ステップＳ２参照）。そしてこの再検索の結果として、検索範囲Ａ３の内側で且つ元の検索範囲Ａ２の外側の（ドーナツ状の）領域に「ダニーズ」並びに施設ＯＢ２及び施設ＯＢ４が有する属性以外の属性を有するファミリーレストランである施設ＯＢ９が検索された場合、この施設ＯＢ９を示す情報が新たなリストとしてディスプレイ４に追加表示される（図３ステップＳ６参照）。なおこのとき、検索範囲Ａ３の内側で且つ検索範囲Ａ２の外側の領域に「ダニーズ」のファミリーレストランである施設ＯＢ８、並びに施設ＯＢ２及び施設ＯＢ４がそれぞれ有する属性のファミリーレストランである施設ＯＢ５、施設６及び施設ＯＢ７があったとしても、それらは検索結果には現出しないこととなる。
【００３９】
以上それぞれ説明したように、実施例に係る施設等検索処理によれば、地理的範囲たる検索範囲に存在し、且つ指定条件により示される属性を有する施設等が一旦検索／表示された後に、検索範囲を拡大した再検索を行って再検索結果を表示するに当たり、前回検索された施設等の属性を有する施設等を再検索結果から除外する。よって、前回の検索結果に含まれていたことで再検索の必要性の原因となった所望されない施設等が再び検索／表示されることが自動的に防止できることで、使用者における煩雑さを抑制して施設等検索の際の利便性を向上させることができる。
【００４０】
また、再検索を行う場合に、前回検索された施設等の属性を有する施設等の当該属性を再検索の指定条件から除外した再検索を行って再検索結果を表示するので、所望されない施設等が再び検索されることを確実に防止することができる。
【００４１】
更に、再検索のための拡大された検索範囲（例えば図４に例示する検索範囲Ａ２）から前回の検索に用いられた検索範囲（例えば図４に例示する検索範囲Ａ１）が除外されて再検索が実行されるので、所望されない施設等が再び検索／表示されることを確実に防止することができる。
【００４２】
更にまた、再検索により検索された施設等を含むリストＲ２を、前回の検索により検索された施設等を含むリストＲ１に追加したリスト形式により表示するので、前回の検索の結果と比較しやすい態様で、再検索の結果を使用者に認識させることができる。
【００４３】
なお上述した実施例では、再検索を行う場合に、前回検索された施設等の属性を有する施設等の当該属性を再検索の指定条件から除外して再検索を行う場合について説明したが、これ以外に、指定条件はそのままとして、検索範囲を拡大した再検索の結果から、前回検索された施設等の属性を有する施設等自体を削除して表示するように構成してもよい。この場合でも、所望されない施設等が再び表示されることを確実に防止することができる。
【００４４】
また、再検索に当たって除外すべき条件（例えば施設等の属性としての条件）を使用者が操作部４を用いて追加可能に構成してもよい。この場合には、使用者により操作部４を用いて指定された条件を除外して当該再検索を実行するので、使用者の意図を正確に反映した再検索を実行することができる。
【００４５】
更に上述した実施例では、地理的範囲たる検索範囲Ａ１乃至検索範囲Ａ３を円形且つ同心円状としたが、これ以外に、例えば目的地点までの経路を設定して車両を案内している場合においては、進行方向に開いた扇形の検索範囲とし、その半径を段階的に拡大することで検索範囲を拡大するように構成してもよい。また当該経路沿いが検索範囲に入るように、例えば当該経路に沿った長辺を有する楕円型の検索範囲としてもよい。
【００４６】
更に実施例に係る施設等の属性としては、上記した「ファミリーレストラン」といった固有の属性の他に、例えば各施設等に対して第三者による評価点が付与されている場合、その評価点に基づいて指定条件を変更してもよい。この場合の再検索では、例えば「評価点が○○点以下の施設等」が、除外される指定条件とされることになる。
【００４７】
更にまた、検索結果の出力方法として、実施例に係るディスプレイ３を用いた表示の他に、図示しないスピーカ等を用いた音声による告知であってもよいし、或いは、例えば所定の近距離無線通信方式を用いて使用者が携帯する携帯型の端末装置に送信するように構成してもよい。
【００４８】
また上述した実施例では、ナビゲーション装置ＮＶにおける施設等検索処理について実施形態を適用した場合について説明したが、これ以外に、携帯型の端末装置において施設又は地点を検索する場合に実施形態を適用することもできる。
【００４９】
更に上述した実施例では、ナビゲーション装置ＮＶとして完結した態様の実施例について説明したが、これ以外に、例えば実施例に係る検索出力部２の機能を、インターネット等のネットワークを介してナビゲーション装置と接続されたサーバ装置に担わせてもよい。この場合のナビゲーション装置としての機能は、上記検索範囲及び指定条件をそれぞれ示すデータ（図３ステップＳ１参照）を当該サーバ装置に送信し、それに対応した検索結果及び再検索結果をサーバ装置から受信して使用者に表示等する機能を担うことになる。
【００５０】
更にまた、図３（ａ）に示したフローチャートに相当するプログラムを、フレキシブルディスク又はハードディスク等の記録媒体に記録しておき、或いはインターネット等のネットワークを介して取得しておき、これを汎用のマイクロコンピュータ等に読み出して実行することにより、当該マイクロコンピュータ等を実施例に係る処理部Ｓとして機能させることも可能である。
【符号の説明】
【００５１】
１    取得手段（インターフェース）
２    検索出力手段（検索出力部）
３    ディスプレイ
４    操作部
５    記録部
Ｓ    情報処理装置（処理部）
ＮＶ    ナビゲーション装置
Ｒ１、Ｒ２    リスト
Ａ１、Ａ２、Ａ３    検索範囲
ＯＢ１、ＯＢ２、ＯＢ３、ＯＢ４、ＯＢ５、ＯＢ６、ＯＢ７、ＯＢ８、ＯＢ９    施設
Ｐ    地点
【図１】
2014203214.tif 000003
【図２】
2014203214.tif 000004
【図３】
2014203214.tif 000005
【図４】
2014203214.tif 000006